(57)【要約】【課題】電子機器の組立性や保守性を向上させることができる電子機器の筐体構造を提供する。【解決手段】内部に拡張ボード１８が装着される拡張スロット２８を有する電子機器１０の筐体構造であって、拡張ボード１８が拡張スロット２８に対して挿抜される方向に直交する面上において開口する第１開口部３０と、拡張ボード１８と平行である面上において第１開口部３０と連続して開口する第２開口部３２と、を有する本体２２と、本体２２に対して拡張ボード１８が拡張スロット２８に対して挿抜される方向にスライドされることにより、本体２２に取り外されることが可能であって、第１開口部３０を閉塞する第１カバー面３６、および、第２開口部３２を閉塞する第２カバー面３８を有するカバー２４と、を有する。【選択図】図３
2020096130.tif 000002
【特許請求の範囲】
【請求項１】
内部に拡張ボードが装着される拡張スロットを有する電子機器の筐体構造であって、
前記拡張スロットを支持するとともに、少なくとも、前記拡張ボードが前記拡張スロットに対して挿抜される方向に直交する面上において開口する第１開口部と、前記拡張ボードが前記拡張スロットに装着されている状態において、前記拡張ボードと平行である面上において前記第１開口部と連続して開口する第２開口部と、を有する本体と、
前記本体に対して前記拡張ボードが前記拡張スロットに対して挿抜される方向にスライドされることにより、前記本体に取り付けられるまたは取り外されることが可能であって、前記本体に取り付けられた状態で前記第１開口部を閉塞する第１カバー面、および、前記第２開口部を閉塞する第２カバー面を有するカバーと、
を有する、電子機器の筐体構造。
【請求項２】
請求項１に記載の電子機器の筐体構造であって、
前記本体は、前記拡張ボードが前記拡張スロットに対して挿抜される方向に平行であるとともに、前記拡張ボードが前記拡張スロットに装着されている状態において、前記拡張ボードと直交する面上において前記第１開口部および前記第２開口部と連続して開口する第３開口部を有する、電子機器の筐体構造。
【請求項３】
請求項１または２に記載の電子機器の筐体構造であって、
前記第２開口部が形成された面と対向する面において、表示器に取り付けられる、電子機器の筐体構造。
【請求項４】
請求項１または２に記載の電子機器の筐体構造であって、
前記電子機器に対して、前記本体の前記第２開口部が形成された面に隣接して別の装置が配置される、電子機器の筐体構造。
【請求項５】
請求項１〜４のいずれか１項に記載の電子機器の筐体構造であって、
前記カバーが前記本体に取り付けられた状態において、前記第１カバー面の外周側に、つまみを有する、電子機器の筐体構造。
【発明の詳細な説明】
【技術分野】
【０００１】
本発明は、内部に拡張ボードが装着される拡張スロットを有する電子機器の筐体構造に関する。
【背景技術】
【０００２】
従来から、本体の開口部を閉塞するカバーを取り外した状態で、本体にプリント基板を取り付ける、または、本体からプリント基板を取り外すことができる電子機器がある（例えば、下記特許文献１）。
【先行技術文献】
【特許文献】
【０００３】
【特許文献１】特開２０１４−１１６４４７号公報
【発明の概要】
【発明が解決しようとする課題】
【０００４】
拡張ボード、および、拡張ボードが装着される拡張スロットの形状は規格で決まっており、個々の電子機器に対して組立性や保守性が考慮されているものではないため、電子部品の組立性や保守性が悪化する問題がある。
【０００５】
本発明は、上記の問題を解決するためになされたものであり、電子機器の組立性や保守性を向上させることができる電子機器の筐体構造を提供することを目的とする。
【課題を解決するための手段】
【０００６】
本発明の態様は、内部に拡張ボードが装着される拡張スロットを有する電子機器の筐体構造であって、前記拡張スロットを支持するとともに、少なくとも前記拡張ボードが前記拡張スロットに対して挿抜される方向に直交する面上において開口する第１開口部と、前記拡張ボードが前記拡張スロットに装着されている状態において、前記拡張ボードと平行である面上において開口する面上において前記第１開口部と連続して開口する第２開口部と、を有する本体と、前記本体に対して前記拡張ボードが前記拡張スロットに対して挿抜される方向にスライドさせることにより、前記本体に取り付けられるまたは取り外されることが可能であって、前記本体に取り付けられた状態で前記第１開口部を閉塞する第１カバー面、および、前記第２開口部を閉塞する第２カバー面を有するカバーと、を有する。
【発明の効果】
【０００７】
電子機器の組立性や保守性を向上させることができる。
【図面の簡単な説明】
【０００８】
【図１】一体型の数値制御装置の斜視図である。
【図２】分離型の数値制御装置の斜視図である。
【図３】数値制御装置の筐体の本体からカバーを取り外した状態の斜視図である。
【図４】数値制御装置の拡張部に拡張ボードを取り付ける様子、および、筐体の本体にカバーを取り付ける様子を示す図である。
【図５】一体型の数値制御装置を示す図である。
【図６】分離型の数値制御装置を示す図である。
【発明を実施するための形態】
【０００９】
〔第１の実施の形態〕
［数値制御装置の構成］
本実施の形態の数値制御装置１０は、工作機械等を数値制御する電子機器である。本実施の形態の数値制御装置１０は、表示器１２の背面に数値制御装置１０が取り付けられた状態で工作機械等に設置される一体型（図１）と、表示器１２とは別に工作機械等に設置される分離型（図２）の両方に適用することができる。
【００１０】
図１は、一体型の数値制御装置１０の斜視図である。図２は、分離型の数値制御装置１０の斜視図である。説明のため、図１および図２に示されるように、ｘ軸、ｙ軸およびｚ軸を設定する。ｘ軸、ｙ軸およびｚ軸は、数値制御装置１０を基準として定義されており、以下の説明ではこの定義にしたがって方向を記述する。
【００１１】
数値制御装置１０は、外周が筐体１４により覆われており、筐体１４の内部には、数値制御装置１０を構成する各種の電子部品が搭載されたボードが収容されている。数値制御装置１０は、図示しないメインボードや電源ボード等を有する本体部１６と、拡張ボード１８（図３）が搭載可能な拡張部２０とから構成されている。数値制御装置１０は、工作機械等の数値制御を行うための各構成要素は本体部１６に有しているが、機能や処理を拡張するために、拡張部２０にネットワークボードやグラフィックボード等の拡張ボード１８を搭載することができる。拡張部２０には、ＰＣＩｅ規格またはＰＣＩ規格の拡張ボード１８が搭載可能である。
【００１２】
筐体１４は、本体２２およびカバー２４から構成されている。図３は、数値制御装置１０の筐体１４の本体２２からカバー２４を取り外した状態の斜視図である。図４は、数値制御装置１０の拡張部２０に拡張ボード１８を取り付ける様子、および、筐体１４の本体２２にカバー２４を取り付ける様子を示す図である。
【００１３】
数値制御装置１０の拡張部２０は、本体部１６に対してｚ軸正方向側に設けられている。一体型の数値制御装置１０は、ｚ軸負方向側の面が表示器１２に取り付けられている。そのため、一体型の数値制御装置１０は、表示器１２側に本体部１６が配置され、表示器１２とは反対側に拡張部２０が配置されることとなる。
【００１４】
拡張部２０のｙ軸正方向側にはバックボード２６が設けられ、このバックボード２６は、筐体１４の本体２２に固定されている。バックボード２６は、ＰＣＩｅ規格またはＰＣＩ規格の拡張スロット２８が搭載されており、この拡張スロット２８に拡張ボード１８が装着される。バックボード２６は、数値制御装置１０の本体部１６側にも伸びており、本体部１６に設けられているメインボードや電源ボード等とバックボード２６とは図示しないスロットによって接続されている。これにより、本体部１６のメインボードや電源ボード等と、拡張部２０の拡張ボード１８とは電気的に接続される。
【００１５】
図４に示されるように、拡張ボード１８は、ｙ軸正方向に向かって拡張スロット２８に差し込まれる。また、拡張ボード１８は、ｙ軸負方向に向かって拡張スロット２８から引き抜かれる。
【００１６】
図３に示されるように、本体部１６は、ｙ軸方向に直交する面上で開口する第１開口部３０と、ｚ軸方向に直交する面上において第１開口部３０と連続して開口する第２開口部３２と、ｘ軸方向に直交する面上において第１開口部３０および第２開口部３２と連続して開口する第３開口部３４とを有している。なお、ｙ軸方向は、拡張ボード１８が拡張スロット２８に挿抜される方向と一致する。また、ｚ軸方向に直交する面は、拡張ボード１８が拡張スロット２８に装着されている状態において、拡張ボード１８と平行な面と一致する。さらに、ｘ軸方向に直交する面は、拡張ボード１８が拡張スロット２８に挿抜される方向に平行であるとともに、拡張ボード１８が拡張スロット２８に装着されている状態において、拡張ボード１８と直交する面と一致する。
【００１７】
カバー２４は、本体２２に対してｙ軸正方向側にスライドされることにより、本体２２に取り付けられ、ｙ軸負方向側にスライドされることにより本体２２から取り外される。カバー２４は、本体２２に取り付けられた状態で、本体２２の第１開口部３０を閉塞する第１カバー面３６と、本体２２の第２開口部３２を閉塞する第２カバー面３８とを有している。カバー２４をｘ軸方向から見ると、第１カバー面３６と第２カバー面３８とによりＬ字形状を成している。
【００１８】
なお、本体２２の第３開口部３４は、カバー２４により閉塞されない。ネットワークボードやグラフィックボードは、拡張スロット２８に挿入される端子部分に対して、９０度向いた方向に向かって、外部端子が挿入されるコネクタが設けられている。カバー２４は第３開口部３４を閉塞しないため、第３開口部３４からコネクタを露出させることができる。
【００１９】
また、第１カバー面３６の外周側には、つまみ４０が設けられている。つまみ４０は、ユーザが指先等でつまみ４０をつまんだ状態で、カバー２４をｙ軸負方向側に引くことが可能に設けられている。
【００２０】
［拡張ボードの取り付けおよび取り外し方法］
図５は、一体型の数値制御装置１０を示す図である。図５は、数値制御装置１０をｚ軸正方向側から見た図であって、カバー２４は取り外された状態を示している。
【００２１】
一体型の数値制御装置１０は、筐体１４の本体２２のｚ軸負方向側の面が表示器１２に取り付けられる。言い換えると、一体型の数値制御装置１０は、筐体１４の本体２２の第２開口部３２が形成された面と対向する面が表示器１２に取り付けられる。
【００２２】
ユーザが拡張ボード１８を拡張部２０に取り付けるときには、ユーザは筐体１４のカバー２４をｙ軸負方向側にスライドして本体２２から取り外す。そして、ユーザは、拡張ボード１８を第２開口部３２から拡張部２０内に挿入し、ｙ軸正方向に向かって拡張スロット２８に差し込む。拡張ボード１８の取り付けが終了すると、ユーザは筐体１４のカバー２４をｙ軸正方向側にスライドして本体２２に取り付ける。
【００２３】
ユーザが拡張ボード１８を拡張部２０から取り外すときには、ユーザは筐体１４のカバー２４をｙ軸負方向側にスライドして本体２２から取り外す。そして、ユーザは、拡張ボード１８をｙ軸負方向側に向かって拡張スロット２８から引き抜き、第２開口部３２から拡張部２０外に取り出す。
【００２４】
一体型の数値制御装置１０では、拡張部２０への拡張ボード１８の取り付けおよび取り外しの作業は、一体となった表示器１２および数値制御装置１０が工作機械等から取り外され、表示器１２側が下になるように作業台等の上に置かれた状態で行われる。そのため、第２開口部３２が上側に開口し、ユーザは拡張部２０の内部に上側からアクセスすることができるため、拡張ボード１８の取り付けおよび取り外しの作業を行いやすい。
【００２５】
なお、十分な作業スペースが確保されていれば、一体となった表示器１２および数値制御装置１０が工作機等に取り付けられている状態で、拡張部２０への拡張ボード１８の取り付けおよび取り外しの作業が行われてもよい。この場合であっても、第２開口部３２がユーザに対して正面に開口し、ユーザは拡張部２０内部に正面からアクセスすることができるため、拡張ボード１８の取り付けおよび取り外しの作業を行いやすい。
【００２６】
図６は、分離型の数値制御装置１０を示す図である。図６は、数値制御装置１０をｙ軸負方向側から見た図であって、カバー２４は取り外された状態を示している。
【００２７】
分離型の数値制御装置１０は、筐体１４の本体２２のｙ軸正方向側の面がブラケット４２を介して工作機械等に取り付けられる。言い換えると、分離型の数値制御装置１０は、筐体１４の本体２２の第１開口部３０が形成された面と対向する面が工作機械等に取り付けられる。分離型の数値制御装置１０は、ｘ軸正方向側が上、ｘ軸負方向側が下となるように取り付けられる。
【００２８】
ユーザが拡張ボード１８を拡張部２０に取り付けるときには、ユーザは筐体１４のカバー２４をｙ軸負方向側にスライドして本体２２から取り外す。そして、ユーザは、拡張ボード１８を第１開口部３０から拡張部２０内に挿入し、ｙ軸正方向に向かって拡張スロット２８に差し込む。拡張ボード１８の取り付けが終了すると、ユーザは筐体１４のカバー２４をｙ軸正方向側にスライドして本体２２に取り付ける。
【００２９】
ユーザが拡張ボード１８を拡張部２０から取り外すときには、ユーザは筐体１４のカバー２４をｙ軸負方向側にスライドして本体２２から取り外す。そして、ユーザは、拡張ボード１８をｙ軸負方向側に向かって拡張スロット２８から引き抜き、第１開口部３０から拡張部２０外に取り出す。
【００３０】
分離型の数値制御装置１０では、拡張部２０への拡張ボード１８の取り付けおよび取り外しの作業は、数値制御装置１０が工作機械等に取り付けられた状態で行われる。工作機械等には数値制御装置１０以外にも様々なユニットが取り付けられるため、図６に示されるように、数値制御装置１０のｚ軸正方向側に隣接して別の装置４４が取り付けられることがある。この場合であっても、第１開口部３０がユーザに対して正面に開口し、ユーザは拡張部２０内部に正面からアクセスすることができるため、拡張ボード１８の取り付けおよび取り外しの作業を行いやすい。
【００３１】
なお、工作機械等に数値制御装置１０のｚ軸正方向側に隣接して別の装置４４が取り付けられていない場合には、一体型の数値制御装置１０と同様に、拡張ボード１８を第２開口部３２から拡張部２０内に挿入するようにしてもよい。
【００３２】
なお、上記では、ユーザが、数値制御装置１０への拡張ボード１８の取り付けおよび取り外しを行う作業について説明したが、ロボット等が、数値制御装置１０への拡張ボード１８の取り付けおよび取り外しを行う作業を行うようにしてもよい。
【００３３】
［作用効果］
ネットワークボードやグラフィックボードといった拡張ボード１８、および、拡張ボード１８が装着される拡張スロット２８の形状は、ＰＣＩ規格またはＰＣＩｅ規格で決まっている。そのため、拡張ボード１８、および、拡張スロット２８は、個々の数値制御装置１０に対して組立性や保守性が考慮されているものではないため、電子部品の組立性や保守性が悪化する問題があった。
【００３４】
そこで、本実施の形態の筐体１４の構造は、拡張スロット２８を有するバックボード２６を支持するとともに、拡張ボード１８が拡張スロット２８に対して挿抜される方向に直交する面上において開口する第１開口部３０と、拡張ボード１８が拡張スロット２８に装着されている状態において、拡張ボード１８と平行な面上において第１開口部３０と連続して開口する第２開口部３２と、を有する本体２２と、本体２２に対して拡張ボード１８が拡張スロット２８に対して挿抜される方向にスライドされることにより、本体２２に取り付けられるまたは取り外されることが可能であって、本体２２に取り付けられた状態で第１開口部３０を閉塞する第１カバー面３６、および、第２開口部３２を閉塞する第２カバー面３８を有するカバー２４と、を有する。これにより、本体２２からカバー２４を取り外せば、第１開口部３０および第２開口部３２が開口するため、一体型の数値制御装置１０と分離型の数値制御装置１０との両方において、ユーザは拡張ボード１８を取り付けおよび取り外し作業を行いやすくなる。そのため、数値制御装置１０の組立性や保守性を向上させることができる。
【００３５】
また、本実施の形態の筐体１４の構造は、筐体１４の本体２２は、拡張ボード１８が拡張スロット２８に対して挿抜される方向に平行であって、拡張ボード１８が拡張スロット２８に装着されている状態において、拡張ボード１８と直交する面上において第１開口部３０および第２開口部３２と連続して開口する第３開口部３４を有する。これにより、ネットワークボードやグラフィックボード等の拡張スロット２８のコネクタを、第３開口部３４から露出させることができる。
【００３６】
また、本実施の形態の筐体１４の構造は、本体２２の第２開口部３２が形成された面と対向する面において、表示器１２に取り付けられる。ユーザは、拡張部２０の内部に第２開口部３２からアクセスすることができるため、拡張ボード１８の取り付けおよび取り外しの作業を行いやすくなる。そのため、数値制御装置１０の組立性や保守性を向上させることができる。
【００３７】
また、本実施の形態の筐体１４の構造は、数値制御装置１０に対して、本体２２の第２開口部３２が形成された面に隣接して別の装置４４が配置される。ユーザは、拡張部２０の内部に第１開口部３０からアクセスすることができるため、拡張ボード１８の取り付けおよび取り外しの作業を行いやすくなる。そのため、数値制御装置１０の組立性や保守性を向上させることができる。
【００３８】
また、本実施の形態の筐体１４の構造は、カバー２４が本体２２に取り付けられた状態において、第１カバー面３６の外周側につまみ４０を有する。これにより、ユーザが、カバー２４を取り外すときにカバー２４を取り外す方向に引きやすくなる。そのため、数値制御装置１０の組立性や保守性を向上させることができる。
【００３９】
〔実施の形態から得られる技術的思想〕
内部に拡張ボード（１８）が装着される拡張スロット（２８）を有する電子機器（１０）の筐体構造であって、前記拡張スロットを支持するとともに、少なくとも、前記拡張ボードが前記拡張スロットに対して挿抜される方向に直交する面上において開口する第１開口部（３０）と、前記拡張ボードが前記拡張スロットに装着されている状態において、前記拡張ボードと平行である面上において前記第１開口部と連続して開口する第２開口部（３２）と、を有する本体（２２）と、前記本体に対して前記拡張ボードが前記拡張スロットに対して挿抜される方向にスライドされることにより、前記本体に取り付けられるまたは取り外されることが可能であって、前記本体に取り付けられた状態で前記第１開口部を閉塞する第１カバー面（３６）、および、前記第２開口部を閉塞する第２カバー面（３８）を有するカバー（２４）と、を有する。これにより、電子機器の組立性や保守性を向上させることができる。
【００４０】
上記の電子機器の筐体構造であって、前記本体は、前記拡張ボードが前記拡張スロットに対して挿抜される方向に平行であるとともに、前記拡張ボードが前記拡張スロットに装着されている状態において、前記拡張ボードと直交する面上において前記第１開口部および前記第２開口部と連続して開口する第３開口部（３４）を有してもよい。これにより、拡張スロットのコネクタを、第３開口部から露出させることができる。
【００４１】
上記の電子機器の筐体構造であって、前記第２開口部が形成された面と対向する面において、表示器（１２）に取り付けられてもよい。これにより、電子機器の組立性や保守性を向上させることができる。
【００４２】
上記の電子機器の筐体構造であって、前記電子機器に対して、前記本体の前記第２開口部が形成された面に隣接して別の装置（４４）が配置されてもよい。これにより、電子機器の組立性や保守性を向上させることができる。
【００４３】
上記の電子機器の筐体構造であって、前記カバーが前記本体に取り付けられた状態において、前記第１カバー面の外周側に、つまみ（４０）を有してもよい。そのため、電子機器の組立性や保守性を向上させることができる。
【符号の説明】
【００４４】
１０…数値制御装置（電子機器）          １８…拡張ボード
２２…本体                              ２４…カバー
２８…拡張スロット                      ３０…第１開口部
３２…第２開口部                        ３４…第３開口部
４０…つまみ                            ４４…別の装置
【図１】
2020096130.tif 000003
【図２】
2020096130.tif 000004
【図３】
2020096130.tif 000005
【図４】
2020096130.tif 000006
【図５】
2020096130.tif 000007
【図６】
2020096130.tif 000008